(57)【要約】【課題】吸収性物品に関する情報を絵柄と共に表示可能にして、製品の混同を避けると共に、絵柄による装飾性を高める。【解決手段】粘着層１２を備えたかつ図柄Ｄを施した生理用ナプキン１０と剥離層２２と備えた透明又は半透明の包装シート２０を接合して折り畳むことで、生理用ナプキン１０を包装する包装構造であって、包装シート２０で包装した生理用ナプキン１０に関する文字情報Ｃが、個装体１の外側から視認できるように、例えば、包装シート２０、剥離層２２、粘着層１２或いは整理用ナプキン１０に印刷等により形成する。【選択図】          図４
2006223757.tif 000002
【特許請求の範囲】
【請求項１】
吸収性物品の包装構造であって、該包装構造は、透明又は半透明な包装シートと図柄が施された吸収性物品が一体的に折り畳まれて形成され、且つ、前記図柄と共に包装シートの外面から視認可能な吸収性物品に関する文字情報を備えたことを特徴とする吸収性物品の包装構造。
【請求項２】
請求項１に記載された吸収性物品の包装構造において、
前記吸収性物品は下着に取り付けるための接合手段を備え、前記文字情報は、吸収性物品を下着に取り付けたとき下着の外から視認できない位置に施されていることを特徴とする吸収性物品の包装構造。
【請求項３】
請求項２に記載された吸収性物品の包装構造において、
前記接合手段は吸収性物品の下着取付面に付与した粘着層であって、該粘着層に接合する剥離シートが前記包装シートに止着されており、吸収性物品に関する文字情報が前記剥離シートに形成されていることを特徴とする吸収性物品の包装構造。
【請求項４】
請求項２に記載された吸収性物品の包装構造において、
前記接合手段は吸収性物品の下着取付面に付与した粘着層であって、前記包装シートは、前記粘着層に対応して剥離処理が施されており、吸収性物品に関する文字情報が該包装シートに形成されていることを特徴とする吸収性物品の包装構造。
【請求項５】
請求項２に記載された吸収性物品の包装構造において、
前記接合手段は吸収性物品の下着取付面に付与した着色粘着剤であって、前記文字情報が前記粘着剤によって形成されていることを特徴とする吸収性物品の包装構造。
【請求項６】
請求項１ないし５のいずれかに記載された吸収性物品の包装構造において、
前記文字情報は、一体的に折り畳まれた折り曲げ部外側に形成されていることを特徴とする吸収性物品の包装構造。
【発明の詳細な説明】
【技術分野】
【０００１】
本発明は、吸収性物品の包装構造に係り、詳しくは、下着（ショーツ等）に取り付けて使用する生理用ナプキンや尿取りパッド等の吸収性物品の包装構造に関するものである。
【背景技術】
【０００２】
一般に使用されている吸収性物品例えば生理用ナプキンは、バックシートが外側になるように畳んだ状態で包装シートで包装され、使用時には包装シートから生理用ナプキンを取出し、該ナプキンをショーツに固定してその使用中にズレないようにしている。
このため、生理用ナプキンは固定用の粘着層を備え、かつ包装シートは生理用ナプキンを包装材で包装する際にこの粘着層に接合しないように、その内面に剥離層を形成したものが一般に使用されている。
【０００３】
生理用ナプキン等の包装材としては、例えばポリプロピレン、ポリエステル、ポリビニルアルコール、不織布や紙、これらの複合材料が用いられるが、通常はこれらの材料に着色や図柄が施されており、内容物が個装の表面からは見えないようになっている。
【０００４】
例えば、特許文献１に記載された吸収性物品の包装材は、その少なくとも一面に所定の樹脂を主成分とする被覆材を有し、この被覆材に亀甲模様、格子模様等の繰り返しパターンや、文字、図形が形成されている。
【０００５】
また、特許文献２に記載された吸収物品の包装構造では、吸収物品に粘着層を備え、この粘着層に対応するように包装材に設けられた剥離層に着色を施して内容物の隠蔽を行っている。
これらは、商品に意匠上の効果を与えることに加え、生理用ナプキンは、使用前の状態においては、それが生理用ナプキンであるとは分からない程度にカムフラージュされた外観が要求され、使用後の状態では吸収した経血等ができるだけ目立たないようにするために提案されたものである。
【０００６】
また、個装の外面から中身が見えるように、包装シートを透明又は半透明にしたものもあるが、この場合は生理用ナプキンに着色図柄を施してそれが生理用ナプキンであることを伺わせないようにしている。
例えば、特許文献３に記載された生理用ナプキンでは、内容物及び吸収体が吸収した経血のシミをカモフラージュするため、吸収体のバックシートの下面に着色図柄を施したり、或いは、透明或いは半透明のバックシートと吸収体の間にデザインシートを挟んで、透明或いは半透明の包装シートを通して前記図柄が個装の外側からが視認できるようにしている。
【０００７】
また、特許文献４に記載された生理用ナプキンでは、前記ナプキンの吸収コアの周縁及びその外側の羽部分に印刷模様を付与して生理用ナプキンが無機質となる印象をなくして着用者の憂鬱感を軽減するようにしている。
【０００８】
ところで、包装材で包装した生理用ナプキンなどの吸収性物品は、その経血などの体液の吸収容量によるサイズの差などにより複数の種類があるが、従来は個々の生理用ナプキンの包装材などにそのような説明を付したものはなく、とくに大きさなどで判別できるものはよいとしても、例えば生理用ナプキンでは、ショーツに取り付けるための羽があるものとないものがあり、そのような説明が複数の個装を収容した包装パックには付されていても個々の個装には付与されていないため、携帯する場合などに製品を混同してしまう等の問題が生じる。
上記した従来の生理用ナプキンでも図柄が印刷されているものの、それはカモフラージュ用または、装飾の目的であるため個装の外側からその図柄をみても包装されたものがどの種類に属するものか判別し難く、この問題を解決するに至っていない。
【特許文献１】特開２００１−１２０５９２号公報
【特許文献２】特開平８−３２２８８２号公報
【特許文献３】特開２００３−１９９７８６号公報
【特許文献４】ＷＯ２００４００６８１８号公報
【発明の開示】
【発明が解決しようとする課題】
【０００９】
本発明の目的は、上記従来の問題に鑑みてなされたものであって、個装の外面から吸収性物品の種類等が判別できると共に、装飾性を向上させることで商品価値の高い吸収性物品を提供することである。
【課題を解決するための手段】
【００１０】
請求項１の発明は、吸収性物品の包装構造であって、該包装構造は、透明又は半透明な包装シートと図柄が施された吸収性物品が一体的に折り畳まれて形成され、且つ、前記図柄と共に包装シートの外面から視認可能な吸収性物品に関する文字情報を備えたことを特徴とする。
請求項２の発明は、請求項１に記載された吸収性物品の包装構造において、前記吸収性物品は下着に取り付けるための接合手段を備え、前記文字情報は、吸収性物品を下着に取り付けたとき下着の外から視認できない位置に施されていることを特徴とする。
請求項３の発明は、請求項２に記載された吸収性物品の包装構造において、前記接合手段は吸収性物品の下着取付面に付与した粘着層であって、該粘着層に接合する剥離シートが前記包装シートに止着されており、吸収性物品に関する文字情報が前記剥離シートに形成されていることを特徴とする。
請求項４の発明は、請求項２に記載された吸収性物品の包装構造において、前記接合手段は吸収性物品の下着取付面に付与した粘着層であって、前記包装シートは、前記粘着層に対応して剥離処理が施されており、吸収性物品に関する文字情報が該包装シートに形成されていることを特徴とする。
請求項５の発明は、請求項２に記載された吸収性物品の包装構造において、前記接合手段は吸収性物品の下着取付面に付与した着色粘着剤であって、前記文字情報が前記粘着剤によって形成されていることを特徴とする。
請求項６の発明は、請求項１ないし５のいずれかに記載された吸収性物品の包装構造において、前記文字情報は、一体的に折り畳まれた曲面部分に形成されていることを特徴とする吸収性物品の包装構造である。
【発明の効果】
【００１１】
本発明によれば、生理用ナプキンなどの吸収性物品を携帯する場合などにおいて、個装を見ただけで内容物に関する情報を取得できるため、製品を混同する虞がない。また、文字情報や図柄情報を吸収性物品と透明又は半透明の包装シートにそれぞれ施すことで、その色調に差異を設けたり或いは濃淡を付けて文字を見易くすることができ製品の混同を一層容易に防止することができる。
更に、個装の見栄えを良くし、無機質な印象をなくして使用者の憂鬱な感情を緩和することができる。また、着色した粘着剤で吸収性物品に関する文字情報を形成することで、文字の作成と粘着剤の塗布とを同時に行えることから、工程を簡略化でき製造コストを削減できる。
【発明を実施するための最良の形態】
【００１２】
本発明に係る吸収性物品の１実施形態を添付図面を参照して説明する。
図１は、本発明に係る吸収性物品の１実施形態である生理用ナプキンを示し、図１Ａは生理用ナプキンを包装シートで包装した包装構造の斜視図であり、図１Ｂは図１ＡのＸ−Ｘ線に沿った生理用ナプキンの断面図である。
本実施形態の生理用ナプキンの包装構造１は、図１Ａに示すように、吸収性物品である生理用ナプキン１０とこれを包む矩形状の包装シート２０とからなる。生理用ナプキン１０は、図１Ｂに示すように透液性のトップシート１０ａと不透液性のバックシート１０ｂと両シート間に封止して配置された吸収体１０ｃとから成っている。
【００１３】
ここで、トップシート１０ａは、例えば不織布や多数の穴を形成したプラスチックシートで形成されており、また、バックシート１０ｂは、ポリエチレンシートやポリエチレンラミネート不織布等が用いられ、望ましくは、不透液性を有し且つ通気性が良いもの、例えばポリエチレンやポリプロピレン等のオレフィン系樹脂に無機充填剤を溶融混練したものを延伸処理した微多孔性シートを用いる。
【００１４】
吸収体１０ｃは、例えば、綿状パルプや合成パルプ等を比較的軽い坪量で積層した積繊パルプ製のもので、全面ほぼ均一な厚さのシート状をなすように形成されている。吸収体１０ｃの平面形状は、トップシート１０ａ及びバックシート１０ｂより小さく前後方向に長いほぼ長方形状であって、吸収体１０ｃの前後両端縁は、トップシート１０ａ及びバックシート１０ｂの前後両端縁とほぼ相似形の円弧状をなしている。
【００１５】
図２は、前記生理用ナプキンの包装体構造の展開斜視図である。
前記生理用ナプキンの包装構造１は、図示のように、生理用ナプキン１０の粘着層１２と包装シート２０の剥離層２２とを剥離自在に接合し、生理用ナプキン１０の長手方向を図示左側部１３，中央部１４及び右側部１５に３分する２つの折曲線１６で、中央部１４の肌当接面側に折り畳み、上記包装シート２０の両側縁部２３及び端部２４をヒートシール等により接着してシール部２３’，２４’（図１Ａ）を形成している。
【００１６】
図３は、生理用ナプキン１０を包装シート２０で包装した状態を表す図１ＡのＹ−Ｙ線に沿った断面図である。図示のように、生理用ナプキン１０の肌に接触しない側つまりバックシート１０ｂ側には、その前後端部を残してその全長に亘って着用時にショーツに接合するための粘着層１２が形成されている。
他方、包装シート２０には、その内面に前記粘着層１２に対応して剥離層２２が設けられており、粘着層１２と剥離層２２とを接合し、前記粘着層１２が表側になるように前記２つの折れ線１６で全体を折り畳んだ状態で包装シート２０で包み、つまみ３０で包装シート２０同士を固着している。
生理用ナプキン１０の使用時には、つまみ３０を引き上げ、シール部２３を剥離して生理用ナプキン１０を取り出す。
【００１７】
図４及び図５は、いずれも本発明の吸収性物品の包装構造の実施形態を示す展開斜視図である。
図４Ａは、矩形の包装シート２０と生理用ナプキン１０を示す斜視図である。図示のように、透明又は半透明の包装シート２０には文字情報、例えば、「ナプキン夜用」等の文字がその全面に印字され、かつ、生理用ナプキン１０の粘着層１２に対応する部分には図柄Ｄが印字されており、他方、生理用ナプキン側１０にも包装シート２０と共通性を有するか又は同一の図柄Ｄが生理用ナプキン１０表面の粘着層１２を除く部分に印刷されており（生理用ナプキンの肌と接触しない裏面全体に図柄を印刷しておき、その上に粘着層１２を形成してもよい。以下同じ）、生理用ナプキン１０を包装シート２０で覆ったとき、それぞれの図柄Ｄが重複することなく個装の表面に現れるようになっている。
【００１８】
また、この実施形態では、包装シート２０の文字情報Ｃと図柄情報Ｄとは互いに補色の関係にある色彩を施すことができる。即ち、文字Ｃは、包装シート２０の上に例えば寒色系の色彩で文字が印刷されており、他方、図柄Ｄは、包装シート２０及び生理用ナプキン１０のいずれもにおいても暖色系の色彩で彩色されている。これにより包装シート２０の文字情報Ｃは暖色系に彩色された図柄Ｄのなかで寒色系の色彩として目立ち易く、文字情報が読み取り易くなる。
【００１９】
図４Ｂは、他の実施形態に係る包装シート２０と生理用ナプキン１０の展開斜視図である。
この実施形態は、包装シート２０の文字Ｃは濃色でかつ図柄Ｄは淡色で印刷されていることを除き図４Ａに示されたものと同様であり、この場合も濃淡のコントラストにより、文字が読み取り易くなっている。
【００２０】
図４Ｃは、更に他の実施形態に係る包装シート２０と生理用ナプキン１０の展開斜視図である。
この実施形態は、包装シート２０の文字Ｃは図柄抜きした部分に印字されており、その他の構成は図４Ａに示されたものと同様である。
【００２１】
図４Ｄは、更に他の実施形態に係る包装シート２０と生理用ナプキン１０の展開斜視図である。
この実施形態は、包装シート２０に剥離シート２６を接着等により止着した構造である。この実施形態では、文字情報は図柄と共に生理用ナプキン１０の剥離シート２６に付されており、包装シート２０そのものには印刷が施されていない。また、生理用ナプキン１０の粘着層１２の領域以外の領域に図柄が施されており、かつ生理用ナプキン１０は、その長手方向両側部に、着用時にショーツの脚開口部から外に折り曲げて生理用ナプキンを止着するための羽１４を備えている
【００２２】
図４Ｅは、更に他の実施形態に係る包装シート２０と生理用ナプキン１０の展開斜視図である。
この実施形態では、包装シート２０に剥離シート２６が止着され、この剥離シート２６に生理用ナプキン１０に関する文字が施されている。また、包装シート２０自体には印刷が施されておらず、生理用ナプキン１０がその長手方向両側部に、着用時にショーツの脚開口部から外側に折り畳んで羽用剥離シートで被覆する等する。羽１４のショーツ側の面には、止着固定するための粘着層が設けられている。図１に示すような包装構造とする場合は、従来のように羽１４をトップシート１０ａ側に折り曲げて生理用ナプキンを折り畳む。
以上の構成は、図４Ｄに示したものと同様であるが、この実施形態では、生理用ナプキンの文字情報は粘着剤塗布領域を含め全体に、また図柄は粘着剤塗布領域を除く領域に施されており、その生理用ナプキンの粘着層１２に対応する領域には、重要情報として「羽つき」の文字が印刷されている。
【００２３】
図４Ｆは、更に他の実施形態に係る包装シート２０と生理用ナプキン１０の展開斜視図である。
この実施形態は、包装シート２０の全面に例えば生理用ナプキンの名称等の文字が印刷されており、生理用ナプキンの粘着剤の領域に対応する領域には、重要情報例えば羽つきであることを示す「羽つき」の文字が大きい太字で目立つように印刷されている。生理用ナプキン１０の粘着剤１２の領域以外の部分には図柄が印刷されている。
【００２４】
図４Ｇは、更に他の実施形態に係る包装シート２０と生理用ナプキン１０の展開斜視図である。
この実施形態は、包装シート２０の全面に文字及び図柄が付されており、羽つきの生理用ナプキンの粘着剤１２の領域に対応する包装シート２０の領域には、重要情報例えば羽つきであることを示す「羽つき」の文字が目立つように大きな太字で印刷されている。また、生理用ナプキン１０の粘着剤塗布領域以外の部分には、包装シート２０の図柄と共通の図柄が印刷されている。
【００２５】
図５は、更に別の実施形態に係る生理用ナプキンの包装構造を示す斜視図である。
この実施形態は、例えば、図４Ａ〜４Ｇに示す生理用ナプキンの包装構造つまり個装１の折り畳まれた折り曲げ部分に、包装されている生理用ナプキンの種類を表す文字を備えたものである。
即ち、包装シート２０に、生理用ナプキン１０を包装した個装を重ねたり或いは並べて置いたときに、その背表紙となる包装シート部分、つまり折り畳まれた曲面部分に例えば「ナプキン夜用」或いは「ナプキン羽つき」等の文字がくるように印字を施す。
このようにすることによって、例えば図６に示すように個装１を包装パック２内に横に並べて収納した状態でも、包装パック２の表示を参照するまでもなく個装１の内容物に関する情報を容易に知ることができる。
【００２６】
生理用ナプキンに関する情報は、図４Ａ〜４Ｇに関連して説明した各実施態様で、印刷は例えばグラビア印刷、フレキソ印刷、スクリーン印刷により行うことができる。また、上記印刷には染料や顔料を用いることができるが、染料よりも落ちにくい顔料が望ましい。例えば、酸化コバルト、二酸化チタン、チタンブラック、チタニウムイエロー等の無機顔料、アゾ系顔料、フタロシアニン系顔料等の有機顔料等の他、蛍光顔料等を用いることもできる。
また、前記実施形態中、４Ｄ及び４Ｅに示すものをとくに剥離シートを備えたものとして説明したが、これらのものも剥離シートを用いず、包装シートに直接文字印刷を行うようにしてもよいし、或いはそれ以外の実施形態においても、剥離シートを用いてその剥離シートに印刷を施すように構成してもよいことは勿論である。
【００２７】
なお、以上の各実施形態における上記粘着層１２は、上記バックシート１０ｃ上に粘着剤を塗布するか、あるいは剥離処理した包装材２０に塗布した後上記バックシート上１２に転写する等して形成される。上記粘着層１２を形成する粘着剤としては、例えば、スチレン系ブロックポリマー、粘着付与剤及び軟化剤を主成分とし、スチレン相とゴム相との２相ブロック構造を保持しているものが用いられる。
また、この粘着剤を利用して文字を形成することができる。この場合は、例えば顔料を混合させた粘着剤をパターン塗工することで、細かなドットパターン等で文字や図柄を書くことができる。
【００２８】
剥離層２２を形成する方法としては、例えば、包装シート２０に剥離処理材を塗布して加熱乾燥するか、或いは剥離処理剤をスプレーで吹き付けて薄い被膜を形成してもよい。剥離処理剤としては、シリコーン樹脂系、フッソ樹脂系、又はオクタデシルイソシアネート系等の剥離剤成分を主成分とするものを好ましく用いることができる。
【００２９】
以上本発明の実施形態について説明を行ったが、本実施形態によれば、生理用ナプキン等の吸収性物品とその包装体とにそれぞれ印刷を施し、個装の外面からは一体の絵または図柄が視認できるようにしている。その際、包装体と吸収性物品にそれぞれ付した図柄を一体感のあるものを採用することで、個装の外面からは１つの絵または図柄として認識できるようにして見栄えをよくして商品価値を上げると共に、その図柄中に生理用ナプキンの種類等を表す文字を入れることで、個装の外面から内容物の種類等を容易に特定することができる。
【図面の簡単な説明】
【００３０】
【図１】生理用ナプキンの包装構造の１実施形態を示し、図１Ａはその斜視図であり、図１Ｂは図１ＡのＸ−Ｘ線に沿った生理用ナプキンの断面図である。
【図２】生理用ナプキンと包装体の展開斜視図である。
【図３】図１ＡのＹ−Ｙ線に沿った包装構造の断面図である。
【図４】異なる実施形態に係る包装体と生理用ナプキンの展開斜視図である。
【図５】生理用ナプキンの個装の背表紙部分を示す側面図である。
【図６】生理用ナプキンをパッケージに収容した状態を示す斜視図である。
【符号の説明】
【００３１】
１・・・生理用ナプキンの包装構造（個装）、２・・・パッケージ、１０・・・
生理用ナプキン、１０ａ・・・トップシート、１０ｂ・・・バックシート、１０ｃ・・・吸収体、１２・・・粘着層、２０・・・包装シート、２２・・・剥離層、２６・・・剥離シート、３０・・・つまみ。
【図１】
2006223757.tif 000003
【図２】
2006223757.tif 000004
【図３】
2006223757.tif 000005
【図４】
2006223757.tif 000006
【図５】
2006223757.tif 000007
【図６】
2006223757.tif 000008